(57)【要約】【課題】子宮にペッサリーて塞ぐのであるがペニスの往復運動によりペッサリーが子宮口から外れる事がある外れないようにする。【解決手段】外形略円形の柔軟なリング（７０Ｃ）に膜（７１Ｃ）を設けリングの１方に奥凸部（７２Ｃ）を設けリングを挟んで奥凸部の反対側に前凸部（７５Ｃ）を設けて前凸部の先端からいくらか引いた所あたり位から前凸部を子宮側に曲げて躱し部７５Ｄとし挿入してくるペニスの先を躱し部によりペニスより女性用避妊具を子宮側に躱しそして奥凸部により女性用避妊具が奥に引き込まない。【選択図】図３６
2010099440.tif 000002
【特許請求の範囲】
【請求項１】
子宮口にふたをするためにリング（３）、（３Ｃ）、（３Ｅ）、（３Ｆ）、（２０）、（２０Ｄ）、（３０Ｆ）、（３０Ｇ）、（５０）、（５０Ｃ）、（６０Ｇ）、（６０Ｈ）、（７０）、（７０Ｃ）、（８０）、（８０Ａ）の線の断面を任意の形としリング内に膜（１）、（１Ｃ）、（１Ｅ）、（１Ｆ）、（２１）、（２１Ｄ）、（３１Ｆ）、（３１Ｇ）、（５１）、（５１Ｃ）、（６１Ｇ）、（６１Ｈ）、（７１）、（７１Ｃ）、（８１）、（８１Ａ）、（１０３）、（２０６）の中程を膨らみをもたせる位にして張りリングの１方に任意の形の前凸部（５）、（５Ｃ）、（５Ｅ）、（５Ｆ）、（２５）、（２５Ｄ）、（３５Ｆ）、（３５Ｇ）、（５５）、（５５Ｃ）、（６５Ｇ）、（６５Ｈ）、（７５）（７５Ｃ）を設ける事を特徴とした女性用安全避妊具。
【請求項２】
前凸部（５Ｃ）、（２５Ｄ）、（５５Ｃ）、の先に任意の形の前凸部先（１２Ｃ）、（２７Ｄ）、（５７Ｃ）を設ける事を特徴とした請求項１記載の女性用安全避妊具。
【請求項３】
前凸部（５Ｃ）、（２５）、（５５）、（７５）、（７５Ｃ）の先からいくらか引いた所から曲げて又は前凸部先（１２Ｃ）、（２７Ｄ）、（５７Ｃ）の先からいくらか引いた所から曲げて躱し部（５Ａ）、（５Ｄ）、（２５Ａ）、（２５Ｅ）、（５５Ａ）、（５５Ｄ）、（７５Ａ）、（７５Ｄ）、（１０７）、（２０３）を設ける事を特徴とした請求項１、２記載の女性用安全避妊具。
【請求項４】
前凸部先（５）、（２５）、（５５）、（７５）及び前凸部先（１２Ｃ）、（２７Ｄ）、（５７Ｃ）、及び躱し部（５Ａ）、（５Ｄ）、（２５Ａ）、（２５Ｅ）、（５５Ａ）、（５５Ｄ）、（７５Ａ）、（７５Ｄ）の先につまみ部（６）、（６Ａ）、（６Ｃ）、（６Ｄ）、（２６）、（２６Ａ）、（２６Ｄ）、（２６Ｅ）、（５６）、（５６Ａ）、（５６Ｃ）、（５６Ｄ）、（７６）、（７６Ａ）、（７６Ｃ）、（７６Ｄ）、（１０８）、（２１０）を設ける事を特徴とした請求項１、２、３記載の女性用安全避妊具。
【請求項５】
リング（３）、（３Ｅ）、（３０Ｆ）、（６０Ｇ）、（８０）に直接又は前凸部（５Ｅ）、（３５Ｆ）、（６５Ｇ）を介して腟外にまで出した外留シート（１２Ｅ）（３４Ｆ）、（６７Ｇ）、（８５）を設ける事を特徴とした請求項１、２、３記載の女性用安全避妊具。
【請求項６】
リング（３）、（３Ｃ）、（３Ｅ）、（３Ｆ）、（２０）（２０Ｄ）、（３０Ｆ）、（３０Ｇ）、（５０）、（５０Ｃ）、（６０Ｇ）、（６０Ｈ）、（７０）、（７０Ｃ）、（８０）、（８０Ａ）又は前凸部（５）、（５Ｃ）、（５Ｅ）、（５Ｆ）、（２５）、（２５Ｄ）、（３５Ｆ）、（３５Ｇ）、（５５）、（５５Ｃ）、（６５Ｇ）、（６５Ｈ）、にスライド雌部（′１２Ｆ）（４２Ｇ）、（６９Ｈ）、（８５Ａ）、（９７）又はスライド雄部（７Ｆ）、（３６Ｇ）、（６３Ｊ）、（８８Ｂ）のどちらか１方を固着し、固着したどちらか１方に残の他方をスライド可に嵌合し、腟長によって自由に腟口に腟外始部（８Ｅ）、（８Ｆ）、（３９Ｆ）、（３９Ｇ）、（６６Ｊ）、（８９Ａ）を合わせて調整出来る事を特徴とした請求項１、２記載の女性用安全避妊具。
【請求項７】
スライド雌部（１２Ｆ）、（４２Ｇ）、（６９Ｈ）、（８５Ａ）、又はスライド雄部（７Ｆ）、（３６Ｇ）（６６Ｈ）、（８８Ｂ）のどちらか１方に調節外留シート（１１Ｆ）、（３８Ｇ）、（６７Ｈ）、（８８Ａ）を固着して調節外留シートを固定又は固定解除する事を特徴とした請求項６記載の女性用安全避妊具。
【請求項８】
リングを挟んで前凸部の反対側に任意の形の奥凸部（２）、（２Ｃ）、（２Ｅ）、（２Ｆ）（５２）、（５２Ｃ）、（６２Ｃ）、（６２Ｈ）、（７２）、（７２Ｅ）（８２）、（８２Ａ）、（１０５）、（２０７）を設ける事を特徴とした請求項１、２、３、４、５、６、７記載の女性用安全避妊具。
【請求項９】
リングを挟んで前凸部の反対側にリングの線で外形任意の形の奥凸部（２Ｅ）（２０）、（２７Ｄ）、（３０Ｆ）、（３０Ｇ）とした事を特徴とした請求項１、２、３、４、５、６、７記載の女性用安全避妊具。
【請求項１０】
前凸部（５）、（５Ｃ）、（５Ｅ）、（５Ｆ）、（２５）、（２５Ｄ）（３５Ｆ）、（３５Ｇ）、（５５）、（５５Ｃ）、（６５Ｇ）、（６５Ｈ）（７５）、（７５Ｃ）、及び外留シート（８５）、及びスライド雌部（８５Ａ）、及びスライド雄部（８８Ｂ）及び奥凸部（２）、（２Ｃ）、（２Ｅ）、（２Ｆ）、（２０）、（２７Ｄ）（３０Ｆ）、（３０Ｇ）、（５２）、（５２Ｃ）、（６２Ｇ）、（６２Ｈ）（７２）、（７２Ｃ）、（８２）、（８２Ａ）の好な所を腟内側から見て内曲とする事を特徴とした請求項１、２、３、４、５、６、７、８、９記載の女性用安全避妊具。
【発明の詳細な説明】
【技術分野】
【０００１】女性の避妊に関するものである。
【背景技術】
【０００２】ペッサリー等がある。
【発明の開示】
【発明が解決しようとする課題】
【０００３】リングに柔軟性の膜を余裕をもって張ったペッサリーで子宮口を塞ぐのだが性交中ペニスの往復運動でペッサリーがずれて避妊の確率がかなり落ちる事があった。性交中ペニスの往復運動でも子宮を塞ぐ女性用安全避妊具がずれないようにする。
【課題を解決するための手段】
【０００４】柔軟な板を外形略だ円形とし、奥凸部の方の出を前凸部の方の出より少なくし前凸部をリング近くから腟口近くの間に子宮側に曲げて躱し部とし前凸部を長くした時は前凸部を細くして先端よりいくらか引いた所より子宮側に曲げて躱し部とし全ての角部に丸みおびさせて曲面としそして柔軟にし、だ円の短方向長さの中心より外側に向けて柔軟で薄い膜にして半径のさらに０．６〜０．８位の長からしだいに膜を厚くし  膜はたるみをもって張りそして膜は精子を通さないものとし  躱し部の先端につまみ部を設ける。躱し部あるいは前凸部あるいは順厚部あるいは奥凸部で任意の各各を好みにより腟内側から見て入曲面とする。【０００５】リングを柔軟な材質にしリングの奥の方を小くし前の方を半円状で大きなリングにしリング内に薄くて柔軟な膜をたるみをもって張り、半円状の方に前凸部を角部を丸みおびさせて設け、リングの近くあたりから腟口近くあたりの間に前凸部を子宮側に曲げて躱し部とし又前凸部を細く長くした時は腟内長以下としその先端より３ｍｍ位〜１０ｍｍ位の引いた所に子宮側に曲げて躱し部とし躱し部の先端に薄くて柔軟なつまみ部を設ける。躱し部も柔軟な材質とする。任意により躱し部あるいはリングあるいは前凸部を腟内側から入曲面又は入曲線とする。【０００６】リングを略円状にしそしてリングに薄くて柔軟性で水を通さない膜をたるみをもたせて張りリングの奥側に柔軟な奥凸部を設けリングの前側に柔軟な前凸部を設けるか又は前凸部の先に前凸部より細くて腟長以下の前凸部先を設けるか又はリングに細くて腟長以下の前凸部を設け前凸部又は前凸部先の先端より３ｍｍ〜１０ｍｍ位引いた所から子宮側に前凸部又は前凸部先を曲げて躱し部としペニスが挿入してくる亀頭の先端より女性用避妊具を子宮側に躱す。リング及び奥凸部及び前凸部及び前凸部先及び躱し部及び膜の各各を柔らかいが元に戻る材質としそして無毒とそして上記好きな所を膣内側から見て入曲面又は入曲面としそしてなめらかにし、躱し部の先端に薄くて柔軟で無毒でなめらかなつまみ部を設ける。【０００７】  リングに比較的狭い奥凸部４５、あるいは比較的狭い前凸部４３あるいは比較的狭い躱せ部の場合は断面曲線としても良いし直線としても良い。
【発明の効果】
【０００８】リングの奥部を狭くするか又はリングの奥部に奥凸部を設ける事により女性用避妊具が奥の方に引き込まないそしてリングと前凸部に設けて前凸部の先端から３ｍｍ〜１０ｍｍ位引いた所から子宮側に曲げて躱し部とするか又は前凸部の先に前凸部先を設けて前凸部先の先端から３ｍｍ〜１０ｍｍ位引いた所から曲げて躱し部とするか又はリングに細くて長い前凸部を設け、前凸部の先端より３ｍｍ〜１０ｍｍ位引いた所から前凸部を子宮側に曲げて躱し部とし躱し部を膣口よりいくらか入った所に設ける事により挿入して来るペニスの亀頭よい女性用避妊具を子宮側に躱しそして１度膣内に入ったペニスの亀頭が躱し部に接っしないので亀頭に違和感が無い。膣内にペニスが挿入前は女性用避妊具は子宮側と反対側の膣壁に押されて離れない。つまみ部を設ける事により性交後指で簡単に取り出す事が出来る。
【発明を実施するための最良の形態】
【０００９】リングに薄くて柔軟で精液を通さない膜をたるみをもって張り、リングの１方にリングの直径の４分の１位から２分の１位の巾の奥凸部を設け、奥凸部の反対側にリングの直径の１０分の１位から３分の１位の巾の前凸部をリングに設け、前凸部で膣長は個人差はあるが膣長より１０ｍｍ位から２０ｍｍ位短かくして前凸部の先端より３ｍｍ位から１０ｍｍ位引いた所あたりから前凸部を子宮側に曲げて躱し部とし躱せ部の先端につまみ部を設け  奥凸部及びリング及び前凸部及び躱せ部及びつまみ部を柔軟でなめらかな材質で作る。
【実施例】
【００１０】リングの前方を大きな半円状とし（奥方を前方の半円状よりも小さな半円状とし各各の半円状を膨らみをもたせて曲線でつなぎ、断面リングの線は半円状に各各の縁から２ｍｍ位から５ｍｍ位い入った所あたりまでしだいに薄くした順厚部とし又はリングの外形は上記と同じ位としリングの線の断面は略円状としリングの中程は薄くて柔軟で精液を通さない膜をたるみをもたせて張り又はリングの外形は略円状でリングの線は断面半円状に縁から中程に向けて縁から２ｍｍ位から５ｍｍ位の所あたりまでしだいに薄くした順厚部とし又はリングの線を断面略円状としリングの中程に薄くて柔軟で精液を通さない膜をたるみをもたせて張る。【００１１】各各のリングに膣外に通ずる外留シートを固着するか又はスライド雌部又はスライド雄部のどちらか１方を固着しても良いが出来れはリングにスライド雌部を固着し、スライド雌部にスライド雄部をスライド可に嵌合してスライド雄部に直結した膣外始部を膣口に合せて調整外留シートの端に設けた押し部１４Ｆ、回し部６８Ｈ、又はピストン押し部４０Ｇ又は糸引き部８６Ａ、８７Ａ、の操作によりスライド雌部のひっかけ受けにスライド雄部のひっかけ出しが嵌ってスライド雄部が動かなくなる。【００１２】各各のリングに前凸部を設けて膣外に通ずる外留シートを固着するか又は各各のリングに前凸部を設けてスライド雌部又はスライド雄部のどちらか１方を設けても良いが出来れば前凸部にスライド雌部を固着してスライド雌部にスライド可にスライド雄部を嵌合してスライド雄部に直結した膣外始部を膣口に合せて調整外留シートの端に設けた押し部１４部、回し部６８Ｈ、又はピストン押し部４０Ｇ又は糸引部８６Ａ、８７Ａの操作によりスライド雌部に設けたひっかけ受けにスライド雄部に設けたひっかけ出しが嵌ってスライド雄部が動かなくなる。【００１３】外留シート及びスライド雌部及びスライド雄部及び調整外留シートを柔軟な材質で作り各各の角部を曲部に変える。外留シート及びスライド雌部及び前凸のリングを挟んで反対側でリングが円状の所はリングに柔軟な奥凸部を設ける。奥凸部も角部を曲部に変える。上記各各の部材は柔軟で表面は柔らかくなめらかなのが良い。
【産業上の利用分野】
【００１４】避妊具産業
【図面の簡単な説明】
【００１５】
【図１】リングの縁が順厚部の女性用避妊具の全体図
【図２】Ａ−Ａ断面図
【図３】Ｂ−Ｂ断面図
【図４】Ｃ−Ｃ及びＤ−Ｄ断面図
【図５】Ｅ−Ｅ断面図
【図６】前凸部が長くリングの縁が順厚部の女性用避妊具図
【図７】Ｆ−Ｆ断面図
【図８】Ｇ−Ｇ断面図
【図９】外留シートを有したリングの縁が順厚部の女性用避妊具図
【図１０】伸縮調整付のリングの縁が順厚部の女性用避妊具図
【図１１】奥凸部のリングが出る女性用避妊具図
【図１２】Ｈ−Ｈ断面図
【図１３】Ｉ−Ｉ断面図
【図１４】Ｊ−Ｊ断面図
【図１５】Ｋ−Ｋ断面図
【図１６】
2010099440.tif 000003
【図１７】奥凸部のリングが出て前凸部が長い女性用避妊具図。
【図１８】Ｎ−Ｎ断面図。
【図１９】Ｏ−Ｏ断面図。
【図２０】奥凸部のリングが出て外留シートを設けた女性用避妊具図。
【図２１】奥凸部のリングが出て伸縮調整付の女性用避妊具図
【図２２】丸リングの女性用避妊具の図
【図２３】Ｐ−Ｐ断面図
【図２４】Ｑ−Ｑ断面図
【図２５】Ｒ−Ｒ断面図
【図２６】Ｓ−Ｓ断面図
【図２７】Ｔ−Ｔ断面図
【図２８】丸リングに前凸部先が長い女性用避妊具図
【図２９】Ｕ−Ｕ断面図
【図３０】Ｖ−Ｖ断面図
【図３１】丸リングに外留シートを設けた女性用避妊具図。
【図３２】丸リングに伸縮調整付の女性用避妊具図。
【図３３】丸リングに短い前凸部の女性用避妊具図。
【図３４】Ｗ−Ｗ断面図。
【図３５】Ｘ−Ｘ断面図。
【図３６】丸リングに長い前凸部の女性用避妊具図。
【図３７】Ｙ−Ｙ断面図。
【図３８】Ｚ−Ｚ断面図。
【図３９】丸リングに外留シートを設けた女性用避妊具図。
【図４０】丸リングに伸縮調整付の女性用避妊具図。
【図４１】奥凸部がリングで外留シートを設けた女性用避妊具図。
【図４２】丸リングに伸縮調整付の女性用避妊具図。
【図４３】膣内に外留シートの女性用避妊具を収めた図。
【図４４】膣口より出た外留シートの図。
【図４５】子宮口に女性用避妊具がかぶさりその下からペニスの図。
【図４６】子宮口に女性用避妊具がおおい下から膣内壁で安定の図。
【符号の説明】
【００１６】奥凸部            ２、２Ａ、２Ｃ、２Ｄ、２Ｅ、２Ｆ、５２、５２Ａ、５２Ｃ、６２Ｇ、６２Ｈ、７２、７２Ｃ、８２、８２Ａ、１０５、２０７
順厚リング        ３、３Ｆ、３Ｃ、３Ｅ
膜                １、１Ｃ、１Ｅ、１Ｆ、２１、２１Ｄ、３１Ｆ、３１Ｇ、５１、５１Ｃ、６１Ｇ、６１Ｈ、７１、７１Ｃ、８１、８１Ａ、１０３、２０６、
前凸部            ５、５Ｃ、５Ｅ、５Ｆ、２５、２５Ｄ、３５Ｆ、３５Ｇ、５５、５５Ｃ、、６５Ｇ、６５Ｈ、７５、７５Ｃ、８５、
前凸部先          １２Ｃ、１２Ｅ、２７Ｄ、５７Ｃ
リング            ２０、２０Ｄ、３０Ｆ、３０Ｇ、５０、５０Ｃ、６０Ｇ、６０Ｈ、７０、７０Ｃ、８０、８０Ａ
真円線            ２７  ３７Ｇ、３７Ｆ
ひっかけ出し      １３Ｆ、３３Ｇ、８３Ａ
回転ひっかけ出し  ６３Ｈ
ひっかけ受け      ９Ｆ、３４Ｇ、６４Ｈ、８４Ａ
下溝              ７、８、２５Ｂ
上溝              ２５Ｃ、２４Ａ、５５Ｂ
外留シール        １２Ｅ、３４Ｆ、６７Ｇ、８５、３８Ｆ、８８
スライド雌部      １２Ｆ、４２Ｇ、６９Ｈ、８５Ａ
スライド雄部      ７Ｆ、３６Ｇ、６３Ｊ、８８Ｂ
躱し部            ５Ａ、５Ｄ、２５Ａ、２５Ｅ、５５Ａ、５５Ｄ、７５Ｄ、７５Ａ  １０７、２０３
膣外始部          ８Ｅ、８Ｆ、３９Ｆ、３９Ｇ、８９Ａ、６６Ｊ
調整外留シール    １１Ｆ、３８Ｆ、３８Ｇ、６７Ｈ、８８Ａ、
蛇腹              ４１Ｇ
押し部            １４Ｆ
ピストン押し部    ４０Ｇ
回し部            ６８Ｈ
糸引き部          ８６Ａ、８７Ａ
つまみ部          ６、６Ａ、６Ｃ、６Ｄ、２６、２６Ａ、２６Ｄ、２６Ｅ  ５６、５６Ａ、５６Ｃ、５６Ｄ、７６、７６Ａ、７６Ｃ、７６Ｄ  １０８、２１０
肛門              １０１、２００
ペニス            １０２
膣壁              ２０１
子宮              ２０９
尿出口            ２１１
膣口蓋            ２０８、１０４
回転伝達線        ６６Ｈ
【図１】
2010099440.tif 000004
【図２】
2010099440.tif 000005
【図３】
2010099440.tif 000006
【図４】
2010099440.tif 000007
【図５】
2010099440.tif 000008
【図６】
2010099440.tif 000009
【図７】
2010099440.tif 000010
【図８】
2010099440.tif 000011
【図９】
2010099440.tif 000012
【図１０】
2010099440.tif 000013
【図１１】
2010099440.tif 000014
【図１２】
2010099440.tif 000015
【図１３】
2010099440.tif 000016
【図１４】
2010099440.tif 000017
【図１５】
2010099440.tif 000018
【図１６】
2010099440.tif 000019
【図１７】
2010099440.tif 000020
【図１８】
2010099440.tif 000021
【図１９】
2010099440.tif 000022
【図２０】
2010099440.tif 000023
【図２１】
2010099440.tif 000024
【図２２】
2010099440.tif 000025
【図２３】
2010099440.tif 000026
【図２４】
2010099440.tif 000027
【図２５】
2010099440.tif 000028
【図２６】
2010099440.tif 000029
【図２７】
2010099440.tif 000030
【図２８】
2010099440.tif 000031
【図２９】
2010099440.tif 000032
【図３０】
2010099440.tif 000033
【図３１】
2010099440.tif 000034
【図３２】
2010099440.tif 000035
【図３３】
2010099440.tif 000036
【図３４】
2010099440.tif 000037
【図３５】
2010099440.tif 000038
【図３６】
2010099440.tif 000039
【図３７】
2010099440.tif 000040
【図３８】
2010099440.tif 000041
【図３９】
2010099440.tif 000042
【図４０】
2010099440.tif 000043
【図４１】
2010099440.tif 000044
【図４２】
2010099440.tif 000045
【図４３】
2010099440.tif 000046
【図４４】
2010099440.tif 000047
【図４５】
2010099440.tif 000048
【図４６】
2010099440.tif 000049